【手続補正書】
【提出日】平成28年8月17日(2016.8.17)
【手続補正１】
【補正対象書類名】特許請求の範囲
【補正対象項目名】全文
【補正方法】変更
【補正の内容】
【特許請求の範囲】
【請求項１】
予め定められた設定項目において、有効及び無効の何れか一方を示す選択値及び当該予め定められた設定項目が有効である場合の設定値を記憶する記憶部と、
前記予め定められた設定項目が有効であるか無効であるかを示す第１の画面、及び、当該第１の画面において前記予め定められた設定項目が選択された際に表示され、前記予め定められた設定項目の設定状態を示す第２の画面を表示する表示部と、
前記第１の画面において、前記予め定められた設定項目を選択する指示を受け付ける受付部と、
前記予め定められた設定項目が無効であることを示す前記第１の画面において前記指示が受け付けられた場合に、前記第２の画面において、前記設定状態として有効状態であること及び前記設定値を前記表示部に表示させる制御部と、を備えること
を特徴とする情報処理装置。
【請求項２】
前記第１の画面は、複数の設定項目の中から、前記予め定められた設定項目を選択することのできる画面であること
を特徴とする請求項１に記載の情報処理装置。
【請求項３】
前記第１の画面は、前記予め定められた設定項目を選択する領域を有し、
前記予め定められた設定項目が有効であることを前記選択値が示す場合に、前記予め定められた設定項目が有効であることを示す情報が前記領域に表示されること
を特徴とする請求項２に記載の情報処理装置。
【請求項４】
前記情報は、前記設定値をさらに示すこと
を特徴とする請求項３に記載の情報処理装置。
【請求項５】
前記受付部は、前記第２の画面において、少なくとも前記予め定められた設定項目の選択値として有効が選択されている場合に、前記予め定められた設定項目の設定値の入力を受け付けること
を特徴とする請求項１から４の何れか一項に記載の情報処理装置。
【請求項６】
前記設定値の初期値は、以前に設定された値であること
を特徴とする請求項５に記載の情報処理装置。
【請求項７】
前記予め定められた設定項目は、画像形成に関する項目であること
を特徴とする請求項１から６の何れか一項に記載の情報処理装置。
【請求項８】
前記予め定められた設定項目は、画像を形成する媒体の端に余白を形成する枠消去機能を設定する項目であって、
前記予め定められた設定項目の選択値は、前記枠消去機能を有効にするか否かを選択する値であって、
前記予め定められた設定項目の設定値は、前記枠消去機能を有効にした場合における前記余白の大きさを示す値であること
を特徴とする請求項７に記載の情報処理装置。
【請求項９】
前記予め定められた設定項目は、省電力機能に関する項目であること
を特徴とする請求項１から６の何れか一項に記載の情報処理装置。
【請求項１０】
前記予め定められた設定項目は、前記情報処理装置の不使用期間が予め定められた閾値時間を超えた場合に、前記情報処理装置を省電力状態に移行させるスリープ機能を設定する項目であって、
前記予め定められた設定項目の選択値は、前記スリープ機能を有効にするか否かを選択する値であって、
前記予め定められた設定項目の設定値は、前記スリープ機能を有効にした場合における前記閾値時間を示す値であること
を特徴とする請求項９に記載の情報処理装置。
【請求項１１】
前記第２の画面は、前記第１の画面の代わりに表示されること
を特徴とする請求項１から１０の何れか一項に記載の情報処理装置。
【請求項１２】
前記第２の画面は、前記予め定められた設定項目に対して有効の選択を入力するために使用される第１の領域、及び、前記予め定められた設定項目に対して無効の選択を入力するために使用される第２の領域を含み、
前記予め定められた設定項目が無効であることを示す前記第１の画面において前記指示が入力された場合に、前記制御部は、前記第１の領域が選択された状態で前記第２の画面を前記表示部に表示させること
を特徴とする請求項１から１１の何れか一項に記載の情報処理装置。
【請求項１３】
前記第２の画面は、前記予め定められた設定項目を有効とする第１の選択を入力するために使用される第１の領域、及び、前記予め定められた設定項目を無効とする第２の選択を入力するために使用される第２の領域を含み、
前記受付部が前記第２の選択の入力を受けた場合に、前記制御部は、前記表示部に、前記第２の画面から前記設定項目が無効であることを示す前記第１の画面に切り換えさせること
を特徴とする請求項１から１１の何れか一項に記載の情報処理装置。
【請求項１４】
前記第２の画面は、前記設定値をキャンセルする第１の指示を入力するために使用される第１の領域、及び、前記設定値を確定する第２の指示を入力するために使用される第２の領域を含み、
前記受付部が前記第１の指示の入力を受けた場合に、前記制御部は、前記表示部に、前記第２の画面から前記設定項目が無効であることを示す前記第１の画面に切り換えさせること
を特徴とする請求項１から１３の何れか一項に記載の情報処理装置。
【請求項１５】
前記第２の画面は、前記設定値をキャンセルする第１の指示を入力するために使用される第１の領域、及び、前記設定値を確定する第２の指示を入力するために使用される第２の領域を含み、
前記受付部が前記第２の指示の入力を受けた場合に、前記制御部は、前記表示部に、前記第２の画面から前記設定項目が有効であることを示す前記第１の画面に切り換えさせること
を特徴とする請求項１から１３の何れか一項に記載の情報処理装置。
【請求項１６】
前記予め定められた設定項目が有効であることを示す前記第１の画面において、前記指示が受け付けられた場合に、前記制御部は、前記予め定められた設定項目が有効であること及び前記設定値を示す前記第２の画面を前記表示部に表示させること
を特徴とする請求項１から１５の何れか一項に記載の情報処理装置。
【請求項１７】
前記第２の画面は、前記予め定められた設定項目を有効とする第１の選択を入力するために使用される第１の領域、及び、前記予め定められた設定項目を無効とする第２の選択を入力するために使用される第２の領域を含み、
前記受付部が前記第２の選択の入力を受けた場合に、前記制御部は、前記表示部に、前記第２の画面から前記設定項目が無効であることを示す前記第１の画面に切り換えさせること
を特徴とする請求項１６に記載の情報処理装置。
【請求項１８】
前記第２の画面は、前記設定値をキャンセルする第１の指示を入力するために使用される第１の領域、及び、前記設定値を確定する第２の指示を入力するために使用される第２の領域を含み、
前記受付部が前記第１の指示又は前記第２の指示の入力を受けた場合に、前記制御部は、前記表示部に、前記第２の画面から前記設定項目が有効であることを示す前記第１の画面に切り換えさせること
を特徴とする請求項１６に記載の情報処理装置。
【請求項１９】
予め定められた設定項目において、有効及び無効の何れか一方を示す選択値及び当該予め定められた設定項目が有効である場合の設定値を記憶する記憶過程と、
前記予め定められた設定項目が有効であるか無効であるかを示す第１の画面、及び、当該第１の画面において前記予め定められた設定項目が選択された際に表示され、前記予め定められた設定項目の設定状態を示す第２の画面を表示する表示過程と、
前記第１の画面において、前記予め定められた設定項目を選択する指示を受け付ける受付過程と、
前記予め定められた設定項目が無効であることを示す前記第１の画面において前記指示が受け付けられた場合に、前記第２の画面において、前記設定状態が有効であること及び前記設定値を前記表示過程で表示させる制御過程と、を備えること
を特徴とする情報処理方法。
【手続補正２】
【補正対象書類名】明細書
【補正対象項目名】０００６
【補正方法】変更
【補正の内容】
【０００６】
本発明の一態様に係る情報処理装置は、予め定められた設定項目において、有効及び無効の何れか一方を示す選択値及び当該予め定められた設定項目が有効である場合の設定値を記憶する記憶部と、前記予め定められた設定項目が有効であるか無効であるかを示す第１の画面、及び、当該第１の画面において前記予め定められた設定項目が選択された際に表示され、前記予め定められた設定項目の設定状態を示す第２の画面を表示する表示部と、前記第１の画面において、前記予め定められた設定項目を選択する指示を受け付ける受付部と、前記予め定められた設定項目が無効であることを示す前記第１の画面において前記指示が受け付けられた場合に、前記第２の画面において、前記設定状態として有効状態であること及び前記設定値を前記表示部に表示させる制御部と、を備えることを特徴とする。
【手続補正３】
【補正対象書類名】明細書
【補正対象項目名】０００７
【補正方法】変更
【補正の内容】
【０００７】
本発明の一態様に係る情報処理方法は、予め定められた設定項目において、有効及び無効の何れか一方を示す選択値及び当該予め定められた設定項目が有効である場合の設定値を記憶する記憶過程と、前記予め定められた設定項目が有効であるか無効であるかを示す第１の画面、及び、当該第１の画面において前記予め定められた設定項目が選択された際に表示され、前記予め定められた設定項目の設定状態を示す第２の画面を表示する表示過程と、前記第１の画面において、前記予め定められた設定項目を選択する指示を受け付ける受付過程と、前記予め定められた設定項目が無効であることを示す前記第１の画面において前記指示が受け付けられた場合に、前記第２の画面において、前記設定状態が有効であること及び前記設定値を表示させる制御過程と、を備えることを特徴とする。